(57)【要約】【課題】  広く使用されている汎用の祝儀・不祝儀袋は、紙幣を収納する際や、収納した紙幣を確認する際に手間を要する。葬儀においては、受付の場で香典の金額を第三者が確認するケースがあり、確認に手間を要するほど受付は込み合い、金額を確認する者には、弔問客立会いのもとで不祝儀袋を開封し、確認作業を行うことによる心的ストレスが生じる。【解決手段】  本体部１、折り返し部２、折り返し部３、折り返し部４、のりしろ部５を有する凸型形状の台紙を各部境界線に沿って、折り返してなる祝儀・不祝儀袋であり、袋本体の折り返し部３を開くと、紙幣収納部がウォールポケット様構造となっているため、容易に紙幣９の挿入や取り出しができ、また、挿入した紙幣９の一端側が露出しているため、金額の確認を容易に行うことができる。また、紙幣一枚のみを所定の向きで収納し、袋本体の折り返し部４を開くと、折り返し部２に設けられた小窓７から金額の確認を行うことができる。【選択図】図１
2018193126.tif 000002
【特許請求の範囲】
【請求項１】
内袋（中袋）を使わずに直接内部に紙幣を入れ、収納する祝儀・不祝儀袋において、
矩形の本体部１と、本体部１の長辺を折り線として接続している矩形の折り返し部２と、
本体部１の短辺を折り線として接続している矩形の折り返し部３と、
本体部１の他方の短辺を折り線として接続している矩形の折り返し部４と、
折り返し部２の長辺を折り線として接続しており、本体部１とは反対側にある、矩形ののりしろ部５を有する凸型形状の台紙において、
のりしろ部５を谷折りで、折り返し部２へ折り返し、前述の状態に続き、さらに、折り返し部２を谷折りで、本体部１へ折り返し、本体部１、折り返し部２、および、のりしろ部５からなる略筒状の構造を形成した後、
折り返し部３、および、折り返し部４を谷折りで、前記、略筒状の構造側へ折り返してできる祝儀・不祝儀袋であり、
折り返し部２とのりしろ部５の長辺は同寸法で、且つ、本体部１の長辺よりも短い寸法であることにより、紙幣収納後、折り返し部３、または、折り返し部４を開くと、収納した紙幣の一端側が露出して、券種や枚数がわかることを特徴とする祝儀・不祝儀袋。
【請求項２】
前記、のりしろ部５を本体部１へ接着手段により固定したことを特徴とする請求項１に関わる祝儀・不祝儀袋。
【請求項３】
折り返し部２、および、のりしろ部５の長辺の寸法が、本体部１の長辺の寸法の略四分の三であり、
本体部１の長辺と短辺の寸法は、一万円券（一万円札）の長辺と短辺の寸法よりも各々、０〜２ｍｍ大きく、
折り返し部２とのりしろ部５の一方側の短辺が本体部１と折り返し部４の境界の谷折り線６−ｂと略同一線上であり、
のりしろ部５の短辺の寸法は、折り返し部２の短辺の寸法よりも短く、
本体部１と折り返し部２の短辺が同寸法であることを特徴とする請求項１および請求項２に関わる祝儀・不祝儀袋。
【請求項４】
折り返し部２に、紙幣を収納した際、紙幣のかど部に表示されている金額を表すアラビア数字が見える位置に、且つ、前記アラビア数字が見えるサイズで、小窓７が設けられていることを特徴とする請求項１と請求項２、および請求項３に関わる祝儀・不祝儀袋。
【発明の詳細な説明】
【技術分野】
【０００１】  本発明は紙幣の収納、および、取り出しを容易に行え、また、紙幣を取り出すことなく金額の確認を行える祝儀・不祝儀袋に関するものである。
【背景技術】
【０００２】  現在、広く使用されている汎用の祝儀・不祝儀袋は、紙幣を収納する際、または、収納された紙幣の金額を確認する際は、袋本体から水引を取り外し、折り畳まれている紙片を開いてから、紙幣を入れる、または、紙幣を取り出し、確認を行っている。場合によっては袋本体に水引を装着したまま、袋本体の上端、または下端の折り返し部分のみを水引から外し、その箇所から紙幣の出し入れを行うこともある。また、現在、小売業者で販売されている祝儀・不祝儀袋のサイズについて、長辺の寸法が１８０ｍｍ以上、短辺の寸法が９０ｍｍ以上の祝儀・不祝儀袋が多数を占めている。
【先行技術文献】
【特許文献】
【０００３】
【特許文献１】特開２０００−１２８１８３号公報
【特許文献２】特開２００１−１３０５８３号公報
【発明の概要】
【発明が解決しようとする課題】
【０００４】  祝儀・不祝儀袋の中に紙幣を収納する際、袋本体から水引を取り外し、折り畳まれている紙片を開いて紙幣または紙幣が入った内袋（中袋）を入れるか、または、袋本体に水引を装着したまま、袋本体の上端または下端の折り返し部分を水引から外して、水引から外した上端部または下端部から、紙幣または紙幣が入った内袋（中袋）を押し込むようにして挿入しているため、手間を要し、祝儀・不祝儀袋の扱い方について不慣れである場合、扱い方によっては、袋本体に折り目がつく、または、水引が崩れてしまうなど、外観を損ねる事態が発生する。【０００５】  さらに、祝儀・不祝儀袋の中に収められた紙幣の金額を確認する場合、袋本体から水引を取り外し、折り畳まれている紙片を開いて紙幣または紙幣が入った内袋（中袋）を取り出して確認するか、または、袋本体に水引を装着したまま、袋本体の上端または下端の折り返し部分を水引から外して、水引から外した上端部または下端部から手指を挿入し、紙幣または紙幣が入った内袋（中袋）を引き抜き、取り出して確認するため、手間を要する。【０００６】  水引を取り外すことなく紙幣の出し入れを行うことができるようにした技術としては、例えば、特開２０００−１２８１８３号公報において、封筒状の祝儀・不祝儀袋が提案されている。しかし、収納された紙幣の金額を確認する際には、シール等で封緘した袋本体を開封し、広く使用されている汎用の祝儀・不祝儀袋と同様に紙幣を取り出す必要があり、手間を要する。【０００７】  祝儀・不祝儀袋の中の紙幣の有無を確認する技術としては、例えば特開２００１−１３０５８３号公報において、金封の外封の特定部分に小窓を設けた祝儀・不祝儀袋が提案されているが、紙幣が複数枚に及んで収納された場合、前記小窓からでは詳細な金額の確認は難しく、正確な金額を把握するためには、広く使用されている汎用の祝儀・不祝儀袋と同様に、紙幣を取り出して確認する必要があるため、手間を要する。【０００８】  また、地域によっては、葬儀の受付において、弔問客から香典（不祝儀袋）を受け取った受付関係者が、その場で不祝儀袋を開封して、中に収められた金額を確認する習慣があり、その際は弔問客を待たせて金額の確認を行うため、弔問客が受付に訪れるタイミングによっては、受付が込み合い、また、金額を確認する者にとっては、確認に手間を要するほど、弔問客立会いのもとで確認作業を行うことによる心的ストレスが生じる。
【課題を解決するための手段】
【０００９】  内袋（中袋）を使わずに直接内部に紙幣を入れ、収納する祝儀・不祝儀袋において、矩形の本体部１と、本体部１の長辺を折り線として接続している矩形の折り返し部２と、本体部１の短辺を折り線として接続している矩形の折り返し部３と、本体部１の他方の短辺を折り線として接続している矩形の折り返し部４と、折り返し部２の長辺を折り線として接続しており、本体部１とは反対側にある、矩形ののりしろ部５を有する凸型形状の台紙において、のりしろ部５を谷折りで、折り返し部２へ折り返し、前述の状態に続き、さらに、折り返し部２を谷折りで、本体部１へ折り返し、本体部１、折り返し部２、および、のりしろ部５からなる略筒状の構造を形成した後、折り返し部３、および、折り返し部４を谷折りで、前記、略筒状の構造側へ折り返してできる祝儀・不祝儀袋であり、折り返し部２とのりしろ部５の長辺は同寸法で、且つ、本体部１の長辺よりも短い寸法であることにより、紙幣収納後、折り返し部３、または、折り返し部４を開くと、収納した紙幣の一端側が露出して、券種や枚数がわかることを特徴とする祝儀・不祝儀袋。【００１０】  また、前記のりしろ部５を本体部１へ接着手段により固定したことを特徴とする祝儀・不祝儀袋であり、さらに、折り返し部２、および、のりしろ部５の長辺の寸法が、本体部１の長辺の寸法の略四分の三であり、本体部１の長辺と短辺の寸法は、一万円券（一万円札）の長辺と短辺の寸法よりも各々０〜２ｍｍ大きく、折り返し部２とのりしろ部５の一方側の短辺が本体部１と折り返し部４の境界の谷折り線６−ｂと略同一線上であり、のりしろ部５の短辺の寸法は、折り返し部２の短辺の寸法よりも短く、本体部１と折り返し部２の短辺が同寸法であることを特徴とする祝儀・不祝儀袋で、また、折り返し部２には、紙幣を収納した際、紙幣のかど部に表示されている金額を表すアラビア数字が見える位置に、且つ、前記アラビア数字が見えるサイズで小窓７が設けられていることを特徴とする祝儀・不祝儀袋。
【発明の効果】
【００１１】  本発明祝儀・不祝儀袋において、水引１０を袋本体に装着したまま、折り返し部３を水引１０から引き抜き、開くと、図２に示すように、紙幣９を挿入し収納する箇所が、ウォールポケット様構造となっているため、容易に紙幣９を収納することができる。また、収納した紙幣９を容易に取り出すことができる。また、紙幣９が収納された状態で、折り返し部３を水引１０から引き抜き、開くと、図３に示すように、紙幣９の一端側が露出しているため、紙幣９を取り出すことなく、金額（券種や枚数）を確認することができる。【００１２】  また、袋本体の上端および下端の折り返し部分である、折り返し部３および折り返し部４の構造は、広く使用されている汎用の祝儀・不祝儀袋のように紙が重なって構成されておらず、一重構造となっているため、たわみやすく、水引１０に対して、抜き差しが容易であり、そのため、取り扱いの際に、袋本体に折り目がつくなど、外観を損ねる事態が発生しにくい。【００１３】  さらに、本体部１の寸法が長辺、短辺ともに一万円券（一万円札）の寸法よりも、０〜２ｍｍ大きく、公差を小さく限定していることで、紙幣一枚のみを所定の向きで収納し、折り返し部４を水引１０から引き抜き、開くと、図４に示すように、折り返し部２に設けられた小窓７から、紙幣９の金額を表すアラビア数字を視認できるため、紙幣９を取り出すことなく金額を確認することができる。小窓７の大きさの設定により、収納する紙幣９は一万円券（一万円札）でも五千円券（五千円札）でも千円券（千円札）でも同様の効果が得られる。前述した理由により、紙幣の入れ間違いや、入れ忘れ等を効果的に予防することができる。【００１４】  さらに、葬儀受付で香典（不祝儀袋）の中の金額を第三者が確認する場合には、紙幣９を取り出すことなく、金額の確認を短時間で行えるため、確認作業の負担が軽減すると共に、心的ストレスも軽減される。また、本発明祝儀・不祝儀袋の形状は、現在、広く使用されている汎用の祝儀・不祝儀袋に比べ、スリムであることから、上着などのポケットにも収納しやすい。
【図面の簡単な説明】
【００１５】
【図１】本発明祝儀・不祝儀袋の展開図である。
【図２】本発明祝儀・不祝儀袋の折り返し部３を開いた際の斜視図である。
【図３】本発明祝儀・不祝儀袋に紙幣を挿入した際の斜視図である。
【図４】本発明祝儀・不祝儀袋における小窓目視の実施例の斜視図である。
【図５】本発明祝儀・不祝儀袋の応用例の展開図である。
【発明を実施するための形態】
【００１６】  本発明祝儀・不祝儀袋の形態の概要は、図１および図２に示す通りである。材質は奉書紙、コットン紙、和紙などの紙類であり、本体部１と折り返し部２、折り返し部３と折り返し部４、さらに、のりしろ部５を有する凸型形状の台紙を用いて、のりしろ部５を谷折りで、折り返し部２へ折り返し、前述の状態に続き、さらに、折り返し部２を谷折りで、本体部１へ折り返し、本体部１、折り返し部２、および、のりしろ部５からなる略筒状の構造を形成した後、慶弔または、地域の慣習に応じた順で、折り返し部３と折り返し部４を谷折りで、前記、略筒状の構造側へ折り返してできる紙製構造物の上下略中央の胴部に、水引１０を装着したものである。なお、水引１０の装着はなくても構わない。
【００１７】  本体部１とのりしろ部５の接面は接着せずに接するだけでも構わないが、さらに両面テープやテープ糊等で接着すると、より形状が安定して使いやすい。水引１０が装着された状態の本発明祝儀・不祝儀袋について、折り返し部３を水引１０から引き抜き、開くと、折り返し部２、および、のりしろ部５の長辺の寸法が、本体部１の長辺の寸法の略四分の三の長さに設定されているため、図２に示すように、紙幣９を挿入し収納する箇所がウォールポケット様構造となって現れる。前述の構造であるために、紙幣９を挿入しやすく、また、一度挿入して収納した紙幣９を取り出しやすい。さらに、紙幣収納後、折り返し部３を水引１０から引き抜いて、開いた状態では、図３に示すように、収納した紙幣９の一端側が露出しているため、金額の確認を容易に行える。
【００１８】  また、本発明祝儀・不祝儀袋の折り返し部２の所定の箇所には、一定の大きさの略長方形の型で袋本体の実壁がくり抜かれ、小窓７が設置されており、その小窓７には透明フィルム８が紙幣９を内包する側から貼ってある。紙幣一枚のみを所定の向きで収納した後、小窓７を目視すると、図４に示すように、収納した紙幣９の金額を視認できる。なお、折り返し部２に設ける小窓の数は、所定の箇所で２つ以上であっても良いし、設けなくても構わない。さらに、袋本体の上端および下端の折り返し部３および、折り返し部４の構造は一重構造となっている。そのため、紙が重なって構成されている一般的な祝儀・不祝儀袋の折り返し部位に比べ、たわみやすく、水引１０に対して抜き差しが容易であり、取り扱いの際に袋本体に折り目が付きにくく、したがって、外観を損ねにくい。
【００１９】  また、本発明祝儀・不祝儀袋は図１における、本体部１と折り返し部４の境界の谷折り線６−ｂと略同一線上にある、折り返し部２とのりしろ部５の一方側の短辺を、折り返し部４の端部まで延長して、図５に示したように、折り返し部１１と、のりしろ部１２を追加し、のりしろ部５およびのりしろ部１２を、谷折りで、折り返し部２および折り返し部１１側へ折り返し、前述の状態に続き、さらに、折り返し部２と折り返し部１１を谷折りで、本体部１および折り返し部４側へ折り返し、本体部１、折り返し部２、のりしろ部５、折り返し部４、折り返し部１１、のりしろ部１２からなる略筒状の構造を形成した後、折り返し部３と、さらに、折り返し部４と折り返し部１１とのりしろ部１２の前記三部が重なって構成される折り返し部位を、谷折りで、折り返してなる祝儀・不祝儀袋でもよい。
【実施例】
【００２０】  本発明祝儀・不祝儀袋の使用方法であるが、紙幣を一枚のみ収納する用途の際の説明を行うと、袋本体の折り返し部３を水引１０から引き抜き、開き、図２に示すように紙幣収納部のポケットが見えるよう展開し、前述の状態で、使用者から見て紙幣９に描かれている肖像画が表で、且つ、手前（下方）になる向きで、紙幣９を一枚のみ、紙幣収納部のポケットへ挿入する。紙幣９は紙幣収納部のポケットの最も奥まで挿入する。紙幣９を挿入し終えた状態を図３に示す。【００２１】  その後、折り返し部３を、水引１０から外した手順と逆の手順で水引１０の内側へ戻し、次に、図４に示すように、折り返し部４を水引１０から引き抜き、開き、折り返し部２に設置された小窓７を目視し、紙幣９の金額を表すアラビア数字が小窓７から視認できること、および、内封した金額と小窓７から見えているアラビア数字が一致していることを確認する。確認後、折り返し部４を水引１０から外した手順と逆の手順で水引１０の内側へ戻し収納が完了する。【００２２】  本発明を実施するにあたり、具体的な材質及び寸法であるが、材質は奉書紙を用い、７８×１６２ｍｍの本体部１、および７８×１２１ｍｍの折り返し部２、７８×９６ｍｍの折り返し部３、７８×８６ｍｍの折り返し部４、１５×１２１ｍｍののりしろ部５で構成される凸型形状の台紙を、本体部１と折り返し部３の境界の谷折り線６−ａ、本体部１と折り返し部４の境界の谷折り線６−ｂ、本体部１と折り返し部２の境界の谷折り線６−ｃ、折り返し部２とのりしろ部５の境界の谷折り線６−ｄに沿って、前述した順序で計４回、谷折りした後、作成された紙製構造物の上下略中央の胴部に、慶弔に応じた個別のデザインの水引を装着して、袋本体が完成される。【００２３】  また、折り返し部２には、袋本体の実壁がくり抜かれて１１×２３ｍｍの略長方形の小窓７が設置されており、小窓７の設置箇所については、前述した所定の向きで、紙幣一枚を紙幣収納部のポケットに収納した際、紙幣９の金額を表すアラビア数字を明瞭に視認できる箇所を選定して小窓７を設けている。本体部１の寸法の公差を０〜２ｍｍと限定していることにより、収納された紙幣９の存在範囲も限定されるため、小窓７から紙幣９の金額を表すアラビア数字がずれることなく表示される。【００２４】  本体部１とのりしろ部５の接面はテープ糊で接着してある。本発明祝儀・不祝儀袋のサイズは、本体部１の寸法を前述した寸法に設定しているため、一万円券（一万円札）の寸法と同程度である。本発明の祝儀・不祝儀袋を紙幣一枚用の用途として使用するか、または、複数枚用の用途として使用するかは、使用される目的や地域性などを考慮し決定される。また、紙幣一枚用の用途でも、複数枚用の用途でも、金額の確認は、挿入された紙幣９の一端側の露出部で行えるため、小窓７を設けずに使用しても構わない。
【産業上の利用可能性】
【００２５】  広く汎用されている祝儀袋や不祝儀袋のほか、本発明を取り入れた祝儀・不祝儀袋の需要は少なからずあるものと思われる。
【符号の説明】
【００２６】  １．本体部
２．折り返し部
３．折り返し部
４．折り返し部
５．のりしろ部
６−ａ．本体部１と折り返し部３の境界の谷折り線
６−ｂ．本体部１と折り返し部４の境界の谷折り線
６−ｃ．本体部１と折り返し部２の境界の谷折り線
６−ｄ．折り返し部２とのりしろ部５の境界の谷折り線
７．小窓
８．透明フィルム
９．紙幣
１０．水引
１１．折り返し部
１２．のりしろ部
【図１】
2018193126.tif 000003
【図２】
2018193126.tif 000004
【図３】
2018193126.tif 000005
【図４】
2018193126.tif 000006
【図５】
2018193126.tif 000007